(57)【要約】      （修正有）【課題】アウターロータ式エレベーター用巻上機を小型化しても、ロータ部とシーブを容易に分割可能なアウターロータ式エレベーター用巻上機を提供する。【解決手段】アウターロータ式エレベーター用巻上機において、基体１、ロータ部５と、主索が巻き掛けられるシーブ４を有し、シーブ４はボルト貫通穴を有し、ロータ部５はボルト取付け穴５ｄを有し、かつ、ボルト取付け穴５ｄの内周側にシーブと接する段付部５ｂを有し、シーブ４のボルト貫通穴と回転部のボルト取付け穴５ｄとがボルト１４によって固定されることで、シーブ４とロータ部５とが固定される【選択図】図１
2018177434.tif 000002
【特許請求の範囲】
【請求項１】
アウターロータ式エレベーター用巻上機において、基体、ロータ部と、主索が巻き掛けられるシーブを有し、前記シーブはボルト貫通穴を有し、前記ロータ部はボルト取付け穴を有し、かつ、ロータ部にはボルト取付け穴の内周側に前記シーブと嵌め合う段付部を有し、前記シーブのボルト貫通穴と前記ロータ部のボルト取付け穴とがボルトによって固定されているアウターロータ式エレベーター用巻上機。
【請求項２】
前記ロータ部を支持する軸受を備え、前記軸受の軸方向の中心が、前記シーブの軸方向の幅内に設置されている請求項１記載のアウターロータ式エレベーター用巻上機。
【請求項３】
前記軸受は複列円錐ころ軸受である請求項２記載のアウターロータ式エレベーター用巻上機。
【請求項４】
前記軸受は軸方向に並列する2個の円錐ころ軸受である請求項２記載のアウターロータ式エレベーター用巻上機。
【請求項５】
前記シーブにジャッキボルトをさらに設け、前記シーブと前記ロータ部をジャッキボルトを用いて取外し可能である請求項１記載のアウターロータ式エレベーター用巻上機。
【請求項６】
前記シーブを支持する支持枠をさらに設けた請求項１記載のアウターロータ式エレベーター用巻上機。
【請求項７】
エレベーター用巻上機の組立方法であって、基体、ロータ部と、主索が巻き掛けられるシーブを有し、前記シーブはボルト貫通穴を有し、前記ロータ部はボルト取付け穴を有し、かつ、ロータ部にはボルト取付け穴の内周側に前記シーブと嵌め合う段付部を有するエレベーター用巻上機において、前記ボルト貫通穴とボルト取付け穴をボルトで固定することで、前記段付部と前記シーブがはまりあい、前記シーブが前記ロータ部に固定されることを特徴とするエレベーター用巻上機の組立方法。
【発明の詳細な説明】
【技術分野】
【０００１】
本発明は、エレベーター用巻上機に関する。
【背景技術】
【０００２】
エレベーター用巻上機において、支持台に固定された基体と、支持台に固定された支持枠と、ロータ部とシーブが別体となって構成されている回転部が基体と支持枠に支持されている両持ち支持構造巻上機が特許文献1に記載されている。
【先行技術文献】
【特許文献】
【０００３】
【特許文献１】国際公開第２００５/０６８３３８号パンフレット
【発明の概要】
【発明が解決しようとする課題】
【０００４】
エレベーターの回転部の大きさは、エレベーターのかご及び釣合おもりの重量に応じて変化させるのが望ましい。即ち、かご及び釣合おもりの重量が大きければシーブを駆動させるためのモータの動力は大きくなる。アウターロータ式巻上機は、モータ回転子が、対向するモータ固定子よりも回転軸から離れた位置に搭載されているため、インナーロータ式巻上機に比べて小さいモータで大きな動力を得ることができる。また、エレベーターのリニューアルにおいて、既設の巻上機を新しい巻上機に交換する時には、巻上機が小さいほど取替え作業が容易となる。そのため、前記特許文献１のように回転部を、シーブとロータ部とに分割する構造が採用されてきた。
【０００５】
しかし、巻上機を小型化するとき、特許文献１に記載された巻上機では、ロータ部とシーブを別体としたとき、ロータ部とシーブを薄くすると、ロータ部とシーブのかかり代が小さくなり固定できなくなる問題があった。
【課題を解決するための手段】
【０００６】
アウターロータ式エレベーター用巻上機において、基体、ロータ部と、主索が巻き掛けられるシーブを有し、前記シーブはボルト貫通穴を有し、前記ロータ部はボルト取付穴を有し、かつ、ボルト取付け穴の内周側に前記シーブと接する段付部を有し、前記シーブのボルト貫通穴と前記ロータ部のボルト取付け穴とがボルトによって固定されることで、前記シーブと前記ロータ部とが固定されることによって達成される。
【発明の効果】
【０００７】
本発明によれば、巻上機を小型化しても容易に分割可能なアウターロータ式エレベーター用巻上機を提供することができる。
【０００８】
前記した以外の課題、構成および効果は、以下の実施形態の説明により明らかにされる。
【図面の簡単な説明】
【０００９】
【図１】本発明の第１の実施形態に係るアウターロータ式エレベーター用巻上機の断面図。
【図２】本発明の第１の実施形態に係るアウターロータ式エレベーター用巻上機の正面図。
【図３】この発明のエレベーター用巻上機が適用されるエレベーター装置の斜視図。
【発明を実施するための形態】
【００１０】
以下、実施例を用いて説明する。
【実施例１】
【００１１】
以下本発明の一実施例を図１、図２、図３に沿って説明する。
【００１２】
図３は、本発明が適用されたエレベーター装置の全体構成の一例を示す斜視図である。図３において、昇降路１０１の上部に実施例１に示した巻上機１０６が配置されている。巻上機１０６にはシーブ４が配置されている。シーブ４には、主索１０７が巻き掛けられている。主索１０７の一端部にはかごが吊り下げられている。即ち、かご１０４および釣合おもり１０５は１：１ローピング方式により吊り下げられている。主索１０７の他端部には釣合おもり１０５が吊り下げられている。昇降路１０１内には、一対のかご側ガイドレール１０３と、一対の釣合おもり側ガイドレール１０２が設置されている。かご１０４は、かご側ガイドレール１０３に沿って昇降路１０１内を昇降される。釣合おもり１０５は釣合おもり側ガイドレール１０２に沿って昇降路１０１内を昇降される。図３のエレベーター装置では、シーブ４が回転することによってかご１０４および釣合おもり１０５が昇降される。
【００１３】
図１は、本発明の一実施形態に係るエレベーター用巻上機の断面図である。図２は本発明の第１の実施形態に係るエレベーター用巻上機の正面図である。
【００１４】
図２において、支持枠６は支持台２に固定されている。回転部３はシーブ４とロータ部５から構成される。シーブ４は支持枠側軸１１を介して支持枠６に支持されている。ロータ部５は、図２の背面の基体１に支持されている。基体１は支持台２に固定されている。制動機１５は背面に備えられた支持腕を介して、背面にある基体１に固定されている。制動機１５は支持腕を介して基体１に固定されている。回転部３は、制動機１５によってロータ部５を介して回転を制動される。尚、制動機１５は支持枠６に固定され、シーブ４を介して回転部３の回転を制動する構成でもよい。
【００１５】
図１において、基体１は外側円筒部１aと内側円筒部１ｂを有している。内側円筒部には主軸１０が支持されている。尚、基体１は、外側円筒部１aと内側円筒部１ｂと主軸１０が一体に構成されてもよい。
【００１６】
ロータ部５は、主軸１０を中心として回転可能になっている。ロータ部５は、内周面に軸受１２が取付けられた軸受取付部５aと、軸受取付部５ａの外周部の段付部５ｂと、外側円筒部１aから主軸寄りに配置された円筒部５ｃと、段付部５ｂの外周部に配置されたボルト取付け穴５dを有している。シーブ４の外周面には、主索１０７を巻き掛けるための複数の主索溝が設けられている。シーブ４はボルト貫通穴を有している。
シーブ４のボルト貫通穴とボルト取付け穴５dはボルト１４によって固定されている。前記の固定構造では、段付部５ｂを設け、かつボルトによる固定方式とすることで、回転部３の軸方向の幅を薄くすることができる。即ち、ボルト１４を締めることで、段付部５ｂとシーブ４が締め付けられ、段付部５ｂとシーブ４がインローに嵌め合う。シーブ４の内周面と段付部５ｂが隙間なくはまり合う形となるため、段付部５ｂとシーブ４の掛かり代を小さくすることができる。さらに、シーブ４にジャッキボルトを設けることで、シーブ４とロータ部５の分割を容易に行うことができる。
【００１７】
円筒部５cの内周面にはモータ回転子８が固定されている。外側円筒部１aには、電機子８と対向するモータ固定子９が固定されている。回転部３は、回転子８とモータ固定子９とを有するモータ７の駆動力によって回転される。
【００１８】
主軸１０には、軸受１２を介してロータ部５が支持されている。軸受１２としては、例えば複列円錐ころ軸受や、軸方向に２個並列に配置した円錐ころ軸受が用いられる。即ち、軸受１２は、回転部３をロータ部５とシーブ４に分割または固定したときにおいて、回転部３の倒れを生じさせない構造となっている。そのため、シーブ４とロータ部５の分割または組立において、モータ回転子８とモータ固定子のギャップを一定に保持することができる。また、軸受１２の軸方向の中心は、シーブ４の軸方向の幅内に設置されている。そのため、軸受にかかる負荷を均一化することができる。即ち、軸受にかかる負荷に偏りがあった場合に比べて軸受を長寿命化することができる。
【００１９】
シーブ４は内周面に支持枠側軸１１が取付けられている。尚、シーブ４と支持枠側軸１１は一体に構成されてもよい。支持枠側軸１１は軸受１３を介して支持枠６に支持されている。即ち、シーブ４はロータ部５を介して基体１に支持されてると同時に、支持枠６に支持されている。
【００２０】
本実施例では下記の特徴を有する。
【００２１】
第一に、回転部３をロータ部５とシーブ４に分割することができ、かつロータ部５とシーブ４との固定を、インロー構造とボルトによる固定方式としたことで、回転部３を薄くすることができる。本構造は、例えばエレベーター用巻上機のリニューアル工事において、搬入作業を容易にすることができる。エレベーター用巻上機のリニューアル工事では、工事物件ごとに巻上機１０６の搬入口の各寸法に制限があるため、巻上機１０６は小型であることが望ましい。しかし、エレベーターの昇降速度やかご１０４の積載容量が大きくなるに従って、主索１０７の本数が増えることでシーブ４の外周面の溝数が増え、モータの動力が大きくなる。即ち、シーブやモータが大型化し、さらにモータを支える基体が大型化するため、巻上機全体が大きくなる。このような背景から、巻上機１０６を容易に分割可能な構造とすることで、搬入を容易にすることができる。さらに、シーブ４にジャッキボルトを設けることで、シーブ４とロータ部５の分割を容易に行うことができる。このような構造は巻上機１０６の交換作業を容易にすることができる。例えば、シーブ４の主索溝の摩耗によって交換を行う場合、シーブ４とロータ部５が一体となっている構造では巻上機全体を交換する必要があった。本構造では、シーブ４をロータ部５から取り外すことで、シーブ４のみを交換することが可能である。即ち、交換に伴う作業の負担を減らすことができ、またジャッキボルトによってシーブ４の交換も容易である。
【００２２】
第二に、ロータ部５を支持する軸受１２の軸方向の中心をシーブ４の軸方向の幅内に配置することによって軸受１２にかかる負荷を均一化し、軸受１２を長寿命化することができる。また、負荷に偏りがある場合、軸受１２の寿命を長くするために、軸受１２の直径方向の厚みを大きくする必要があった。本構造では、軸受１２の負荷を均一化可能な構造とすることで、軸受１２を長寿命化することができる。さらに、軸受１２の直径方向の厚みを小さくすることで、軸受１２を小型化することも可能である。
【００２３】
上記の例では、回転体３が基体１と支持枠６によって支持された両持ち支持構造としたが、回転体３が基体１によって支持された片持ち支持構造としてもよい。片持ち支持構造では、両持ち支持構造に比べ、支持枠６を有さないため巻上機全体の軸方向の幅を小さくすることができる。
【００２４】
さらに、この発明の巻上機は図３に示したエレベーター装置以外のエレベーター装置に適用することもできる。例えば、巻上機４は昇降路１０１の内部に設置してもよい。また、ローピング方式は１：１でなく、２：１ローピングでもよい。
【符号の説明】
【００２５】
１・・・基体、２・・・支持台、３・・・回転部、４・・・シーブ、５・・・ロータ部、６・・・支持枠、７・・・モータ、８・・・モータ回転子、９・・・モータ固定子、１０、１１・・・軸、
１２、１３・・・軸受、１４・・・ボルト、１５・・・制動機、１０１・・・昇降路、１０２・・・釣合おもり側ガイドレール、１０３・・・かご側ガイドレール、１０４・・・かご、１０５・・・釣合おもり、１０６・・・巻上機、１０７・・・主索
【図１】
2018177434.tif 000003
【図２】
2018177434.tif 000004
【図３】
2018177434.tif 000005